(57)【要約】    【課題】  駐車場としては駐車カードを発行することなく、顧客が既に所持しているＩＣカードを用いて、駐車管理が行える様にし、更に複数の駐車場でも同一のＩＣカードにより駐車管理を可能とした。    【解決手段】  ＩＤ番号が記録されているＩＣカード１と、入出庫の指示を行う操作盤２と、該操作盤からの信号により入出庫作動を制御する駐車場制御装置３とを具備し、前記操作盤はＩＣカードのＩＤ番号を読取るＩＣカード読取り装置１６と、ＩＤ番号を記憶する記憶装置１２と、前記駐車場制御装置に駐車情報を送出する通信装置１３を有する。    【選択図】          図２
2005078405.tif 000002
【特許請求の範囲】
【請求項１】
ＩＤ番号が記録されているＩＣカードと、入出庫の指示を行う操作盤と、該操作盤からの信号により入出庫作動を制御する駐車場制御装置とを具備し、前記操作盤はＩＣカードのＩＤ番号を読取るＩＣカード読取り装置と、ＩＤ番号を記憶する記憶装置と、前記駐車場制御装置に駐車情報を送出する通信装置を有することを特徴とする駐車場管理装置。
【請求項２】
前記通信装置は送出信号が前記駐車場制御装置内の信号処理に適合する様送出信号を変換する信号変換手段を具備している請求項１の駐車場管理装置。
【請求項３】
前記ＩＣカード読取り装置が読取るＩＤ番号は１次ＩＤ番号である請求項１の駐車場管理装置。
【請求項４】
前記記憶装置はＩＤ番号に関連付けて駐車情報を記憶する請求項１の駐車場管理装置。
【請求項５】
前記ＩＤ番号は、登録作業により記憶され、消去作業が実行される迄、前記記憶装置に保管される請求項１の駐車場管理装置。
【発明の詳細な説明】
【技術分野】
【０００１】
本発明は、駐車場への入出庫の管理を情報記録型カードを用いて行う駐車場管理装置に関するものである。
【背景技術】
【０００２】
近年の駐車場では、省力化、無人化が進み、駐車場への入出庫のデータを電子データ化し、電子データに基づき入出庫の管理を駐車場管理装置で行う様にしている。
【０００３】
駐車場管理装置では、駐車場への入出庫の管理データ、例えば入出庫者を識別する為のＩＤ番号、入庫時間、駐車エリア番号、出庫時間等を、情報記録型の駐車カード、例えば磁気記録型の駐車カード、半導体記録型のＩＣカードに書込み、又駐車カードから入出庫データを読込み、入出庫の確認、駐車時間、或は駐車料金等の管理等を行っている。
【０００４】
従来の駐車場管理装置では、各駐車場毎にＩＤ番号が付された情報記録型の駐車カードが発行され、駐車する度に記録エリアに入庫時間、駐車エリア番号、出庫時間等の駐車情報を書込み、出庫時に駐車カードから駐車情報を読取り、駐車料金の算出、駐車料金の支払の確認、出庫許可等の管理をしている。
【０００５】
この為、複数の駐車場を定期的に利用する場合、利用者は各駐車場毎に発行される駐車カードを必要とし、駐車場毎に使い分けをしなければならないという煩雑さがあった。
【０００６】
尚、ＩＣカードを利用した駐車場管理装置としては、特許文献１に示されるものがあり、特許文献１では駐車場専用のＩＣカードに駐車場識別情報を書込み、書込まれた駐車場識別情報を基に駐車場の管理を行っている。
【０００７】
【特許文献１】特開平７−７３２４５号公報
【発明の開示】
【発明が解決しようとする課題】
【０００８】
本発明は斯かる実情に鑑み、駐車場としては駐車カードを発行することなく、顧客が既に所持しているＩＣカードを用いて、駐車管理が行える様にし、更に複数の駐車場でも同一のＩＣカードにより駐車管理を可能としたものである。
【課題を解決するための手段】
【０００９】
本発明は、ＩＤ番号が記録されているＩＣカードと、入出庫の指示を行う操作盤と、該操作盤からの信号により入出庫作動を制御する駐車場制御装置とを具備し、前記操作盤はＩＣカードのＩＤ番号を読取るＩＣカード読取り装置と、ＩＤ番号を記憶する記憶装置と、前記駐車場制御装置に駐車情報を送出する通信装置を有する駐車場管理装置に係るものである。
【００１０】
又、本発明は、前記通信装置は送出信号が前記駐車場制御装置内の信号処理に適合する様送出信号を変換する信号変換手段を具備している駐車場管理装置に係り、又前記ＩＣカード読取り装置が読取るＩＤ番号は１次ＩＤ番号である駐車場管理装置に係り、又前記記憶装置はＩＤ番号に関連付けて駐車情報を記憶する駐車場管理装置に係り、更に又前記ＩＤ番号は、登録作業により記憶され、消去作業が実行される迄、前記記憶装置に保管される駐車場管理装置に係るものである。
【発明の効果】
【００１１】
本発明によれば、ＩＤ番号が記録されているＩＣカードと、入出庫の指示を行う操作盤と、該操作盤からの信号により入出庫作動を制御する駐車場制御装置とを具備し、前記操作盤はＩＣカードのＩＤ番号を読取るＩＣカード読取り装置と、ＩＤ番号を記憶する記憶装置と、前記駐車場制御装置に駐車情報を送出する通信装置を有し、ＩＣカード自体が持っているＩＤ番号を利用して駐車管理を行うので、駐車管理専用の駐車カードを発行する必要がなく、カードの発行費用が低減できると共に利用者側は所持するカードの数が増えないので、カードの管理が容易になる。
【００１２】
又、本発明は、前記通信装置は送出信号が前記駐車場制御装置内の信号処理に適合する様送出信号を変換する信号変換手段を具備しているので、既存の駐車場、形式の異なる駐車場にも実施可能である。
【００１３】
又、本発明は、前記ＩＣカード読取り装置が読取るＩＤ番号は１次ＩＤ番号であるので、ＩＤ番号が重複することがなく、確実に利用者を識別できる。又、複数の駐車場を利用する場合にも、共通のＩＤ番号によって管理が可能であるので、利用者の利便性が向上する。
【００１４】
又、本発明は、前記ＩＤ番号が、登録作業により記憶され、消去作業が実行される迄、前記記憶装置に保管されるので、駐車場を繰返し利用する場合の操作性が向上する。
【発明を実施するための最良の形態】
【００１５】
以下、図面を参照しつつ本発明を実施する為の最良の形態を説明する。
【００１６】
本発明では、駐車カードとしてＩＣカードが使用される。該ＩＣカードは利用者が、駐車カードとして個別に購入所持したものであっても、交通機関が定期券の代替として発行しているＩＣカード等であってもよい。
【００１７】
一般にＩＣカードには、ＩＣカード製造者が製造時に付す製造ＩＤ番号（１次ＩＤ番号）が記録され、該製造ＩＤ番号は書換えができない様に処理されている。例えば、定期券として使用されているＩＣカードでは、ユーザである交通機関がＩＣカードを購入し、該交通機関がＩＣカードを個別に管理できる様にユーザＩＤ番号（２次ＩＤ番号）を付してある。該ユーザＩＤ番号も、書換えができない様に処理されている。
【００１８】
上記したＩＤ番号の内、２次ＩＤ番号はユーザ各社の管理仕様に応じて作成されるものであり、各社毎に統一性はないが前記１次ＩＤ番号は製造時に付されるものであり、統一性があり、而も重複したものはない。本発明では、既にＩＣカードが保有しているＩＤ番号を利用して、駐車場の管理を行うものであり、好ましくは１次ＩＤ番号を利用して駐車管理を行う。尚、現在ＩＣカード製造者は複数あり、１次ＩＤ番号を利用した場合も、ＩＣカード製造者毎に対応する必要があるが、ユーザ毎に対応する必要がなく、例えば駐車カードとして交通機関が使用するＩＣカードを対象にすれば、ＩＣカードの利用者は多数であり、駐車場管理としては充分な汎用性が得られる。
【００１９】
図１は、本発明に係る駐車場管理装置の概要を示しており、該駐車場管理装置は主に、ＩＣカード１、操作盤２、駐車場制御装置３、ゲート開閉装置４、在庫検出装置５、駐車時間検出装置６、駐車料金精算装置７から構成される。尚、機械式の駐車場であれば、更にエレベータ式等の格納装置が設けられる。
【００２０】
前記ＩＣカード１は、既に駐車場利用者が所持しているＩＣカードが駐車カードとして利用される。
【００２１】
前記操作盤２について、図２により説明する。
【００２２】
該操作盤２は、主に演算処理装置１１、記憶装置１２、通信装置１３、表示部１４、操作部１５、ＩＣカード読取り装置１６等から構成されている。
【００２３】
前記記憶装置１２は、ＩＤ記憶部１７、駐車情報記録部１８、プログラム格納部１９等の記憶領域を具備している。前記ＩＤ記憶部１７には駐車場利用者のＩＤ番号が登録され、前記駐車情報記録部１８には利用者が駐車した場合の駐車情報が利用者のＩＤ番号に関連付けて記録される。又、前記プログラム格納部１９には、信号処理に必要なプログラム等が格納されている。
【００２４】
前記通信装置１３は、前記演算処理装置１１から出力される信号を所要の通信規格（例えば、ＲＳ２３２Ｃ）に適合する様に信号処理し、前記駐車場制御装置３が管理に必要な情報として該駐車場制御装置３に送信するものである。尚、駐車場管理装置の通信規格としては、一般的にはＲＳ２３２Ｃが使用されている。
【００２５】
前記ＩＣカード読取り装置１６は前記ＩＣカード１のＩＤ番号（好ましくは１次ＩＤ番号）を読取り、前記演算処理装置１１に入力する。又、前記操作部１５は入出庫に必要な操作を利用者が行うものであり、前記表示部１４には操作状況、或は駐車場の空き情報が表示される。
【００２６】
図５は前記操作部１５の一例を示しており、テンキー２１、管理釦２２、登録釦２３等を具備している。又、前記操作部１５は駐車開始を指示するスタート釦１５ａ（図２参照）を具備しているが、操作性、誤操作防止の為、これら釦群とは独立して設けられている。
【００２７】
次に、図３、図４により作動について説明する。
【００２８】
前記操作部１５に利用者が駐車に必要な情報、指示を入力することで、前記操作盤２から前記駐車場制御装置３に信号が送信され、ゲートが開く等駐車を可能にする作動が行われる。尚、前記操作盤２から情報を入力する場合の入力モードには、登録モードと運用モードがあり、通常は運用モードとなっている。
【００２９】
前記登録モードは、利用者が最初に駐車場を利用する場合等、利用者のＩＤ番号が前記操作盤２の前記ＩＤ記憶部１７に登録されていない場合であり、運用モードは利用者のＩＤ番号が既に登録されている場合である。
【００３０】
先ず、登録モードについて図３、図５を参照して説明する。
【００３１】
通常は運用モードとなっており、前記管理釦２２を押す（ＳＴＥＰ１）。該管理釦２２が押されると前記表示部１４に管理メニューが表示され、該管理メニューよりＩＣカード登録を選択し、登録モードに切替える（ＳＴＥＰ２）。
【００３２】
前記ＩＣカード読取り装置１６によりＩＣカードのＩＤ番号を読取らせる（ＳＴＥＰ３）。ＩＤ番号に異常がない場合、登録可能であることが前記表示部１４に表示され、前記登録釦２３を押し（ＳＴＥＰ４）、ＩＤ番号（ＩＣカード）の登録を完了する。尚、複数枚のカードを登録する場合は、ＩＣカードを交換して登録の手順を繰返す。
【００３３】
全てのＩＣカードの登録が完了すると、前記管理釦２２を押す（ＳＴＥＰ５）。前記表示部１４に管理メニューが表示され、前記管理釦２２を押す（ＳＴＥＰ６）ことで運用モードが選択される。
【００３４】
尚、登録されたＩＤ番号は、前記ＩＤ記憶部１７内に保管され、消去作業が実行される迄、保管が継続される。従って、再利用者は繰返し、登録作業を行う必要はない。尚、消去作業としては、利用者が前記操作部１５より消去する。或は、一定期間再利用がない場合、前記プログラム格納部１９に格納されたプログラムが消去作業を実行する等である。
【００３５】
ＩＣカードの登録が完了し、或は既に登録が完了している利用者は、前記ＩＣカード読取り装置１６にＩＤ番号を読取らせる（ＳＴＥＰ１１）。前記表示部１４に駐車場が利用可能な表示がなされ、利用者は前記スタート釦１５ａを押す（ＳＴＥＰ１２）。
【００３６】
前記操作部１５より入力されたＩＤ番号、及び駐車開始信号が前記通信装置１３を介して前記駐車場制御装置３に送信される。該駐車場制御装置３は前記ゲート開閉装置４により入場ゲートを開く等して駐車を可能とする作動を開始する。
【００３７】
自動車の入庫が行われ（ＳＴＥＰ１３）、前記在庫検出装置５に入庫が確認され、前記駐車時間検出装置６により入庫時間が確認され、これらの駐車情報は前記駐車場制御装置３より前記操作盤２に送出され、更に前記通信装置１３、前記演算処理装置１１を介して前記駐車情報記録部１８に記録される。
【００３８】
駐車が完了すると、ＩＣカードが返却される（ＳＴＥＰ１４）。
【００３９】
出庫する場合は、前記ＩＣカード１のＩＤ番号を前記ＩＣカード読取り装置１６に読取らせることで、前記演算処理装置１１はＩＤ番号に関連付けられた駐車情報を前記駐車情報記録部１８より読込み、前記通信装置１３を介して前記駐車場制御装置３に送出する。該駐車場制御装置３は送出された駐車情報、及び前記駐車時間検出装置６より送出された出庫時間等から駐車料金を算出する。前記駐車料金精算装置７により駐車料金が精算されたことが確認されると、出庫可能となる利用者が前記スタート釦１５ａを押すことで、出庫作業が開始される。
【００４０】
本発明に係る駐車場管理装置、特に前記操作盤２は、既存の駐車場にも適用可能である。
【００４１】
即ち、上記した様に、駐車場管理装置の通信規格としては、一般的にはＲＳ２３２Ｃが使用されており、装置のハードの構成は共通しているので、前記操作盤２と前記駐車場制御装置３との配線等機械的な接合及び連結は、前記操作盤２の構造を変えることなく、接続が可能である。但し、前記駐車場制御装置３内での信号の定義付け等は駐車装置の機種毎に、或は駐車装置の製造会社毎に異なる可能性がある。
【００４２】
前記プログラム格納部１９は、前記通信装置１３から前記駐車場制御装置３に送出される信号が、該駐車場制御装置３内での信号処理に適合可能な様に、信号の定義付けを変更する等の処理を行う信号変換プログラムを具備している。従って、本発明は既存の駐車場、形式の異なる駐車場にも実施することが可能である。
【００４３】
更に、駐車情報は前記操作盤２の前記記憶装置１２に記録されるので、ＩＣカードに記録する必要がなく、交通機関が定期券の代替として発行しているＩＣカードの様に駐車情報の書込みが行えないＩＣカードでも駐車カードとして使用することができ、駐車場専用の駐車カードを発行する必要がない。更に、ＩＣカード製造会社毎のＩＤ番号を識別する識別プログラムを前記プログラム格納部１９に組込めば、製造会社を問わず全てのＩＣカードの使用が可能となる。
【００４４】
前記駐車場制御装置３に送出される信号の該駐車場制御装置３内での信号と整合性を取る為の信号変換はプログラムによる処理でなく、信号変換回路を具備する処理部によって行ってもよい。
【図面の簡単な説明】
【００４５】
【図１】本発明の実施の形態の概略を示すブロック図である。
【図２】該本発明の実施の形態で採用される操作盤の概略構成図である。
【図３】該本発明の実施の形態に於けるＩＤ番号登録操作を示すフローチャートである。
【図４】該本発明の実施の形態に於ける駐車操作を示すフローチャートである。
【図５】該本発明の実施の形態に於ける操作部の一例を示す説明図である。
【符号の説明】
【００４６】
１              ＩＣカード
２              操作盤
３              駐車場制御装置
４              ゲート開閉装置
５              在庫検出装置
６              駐車時間検出装置
７              駐車料金精算装置
１１            演算処理装置
１２            記憶装置
１３            通信装置
１４            表示部
１５            操作部
１６            ＩＣカード読取り装置
１７            ＩＤ記憶部
１８            駐車情報記録部
１９            プログラム格納部
【図１】
2005078405.tif 000003
【図２】
2005078405.tif 000004
【図３】
2005078405.tif 000005
【図４】
2005078405.tif 000006
【図５】
2005078405.tif 000007